(57)【要約】【課題】  歌唱者に対しカラオケをリズムどおりに正しく歌い易くサポートするカラオケ用の字幕を提供する。【解決手段】字幕１０の上段では、ひらがな表記であり、各小節の区切り部分には「縦方向のバー」記号ａが表記されている。また、４分休止符（一拍）に対応して「小さなドット」記号ｂが表記されている。また、第２小節、第３小節、第４小節には、「横バー」記号ｃが表記されている。第４小節では、文字「て」に続く７個の横バーが表記されており、これにより「て」の発声は半拍の「て」に続くさらに３拍半の長音となる。なお、第３小節の「で」に続く半拍は右下がりの横バーｃ１であり、同「で」よりも低い音程であることを示す。【選択図】図１
2009069788.tif 000002
【特許請求の範囲】
【請求項１】
カラオケ用楽曲の楽譜上に指定されている楽譜コードの長さに関連付けた記号を当該字幕に隣接して表記したことを特徴とするカラオケ用の字幕。
【請求項２】
前記記号は、前記楽譜コードが休止符のときはその半拍分を一個の小ドットに対応させて表記したことを特徴とする請求項１に記載されたカラオケ用の字幕。
【請求項３】
前記記号は、前記楽譜コードが休止符のときはその一拍分を一個の大ドットに対応させて表記したことを特徴とする請求項１または２に記載されたカラオケ用の字幕。
【請求項４】
前記記号は、前記楽譜コードが音符であり且つ、その音符に対応してひらがなまたはカタカナで表記した字幕において、前記各ひらがなまたはカタカナの一文字を半拍分に対応させ当該音符長さが半拍を超える長音のときは前記一文字の直後に半拍横バーを所要数表記したことを特徴とする請求項１または３に記載されたカラオケ用の字幕。
【請求項５】
前記記号は、前記楽譜コードが３連音符のときは同３連音符に対応する前記ひらがなまたはカタカナの直下に下線を表記したことを特徴とする請求項１乃至４のいずれか１項に記載されたカラオケ用の字幕。
【請求項６】
前記記号は、前記楽譜コードが１小節の区切りのときはその対応する字幕位置に縦バーを表記したことを特徴とする請求項１乃至５のいずれか１項に記載されたカラオケ用の字幕。
【請求項７】
カラオケ用楽曲の楽譜上に指定されている楽譜コードの長さに関連付けた記号を当該楽譜に対応する字幕に隣接して表記したことを特徴とするカラオケ用の字幕を記録した記憶媒体。
【請求項８】
カラオケ用楽曲の演奏中、カラオケ用楽曲の楽譜上に指定されている楽譜コードの長さに関連付けた記号を当該楽譜に対応する字幕に隣接して表記したカラオケ用の字幕を記録した記憶媒体から適宜読み出し、当該読み出された字幕を適宜の文字ブロックごとに表示装置上に表示させるためのプログラム。
【発明の詳細な説明】
【技術分野】
【０００１】  本発明はカラオケ用の字幕に係り、特に、歌唱のために、対応する楽譜上に指定されている楽譜コードの長さ（時間的間隔）に関連付けた記号を当該字幕に隣接して表記したカラオケ用の字幕に関する。
【背景技術】
【０００２】  カラオケ装置では、歌唱曲の歌唱部分を除いた伴奏音楽が再生され、歌唱者が再生された伴奏音楽に合わせて歌唱する。カラオケ装置では、歌唱者に歌詞を知らせるために、一般的に、モニタ等の表示装置に歌詞を表示する。さらに、表示装置に表示した歌詞のうち、歌唱者が発声すべき文字を明確にするため、カラオケ装置は、発声すべき文字に対して、予め表示した文字の色から別の色に変更することが知られている。【０００３】  しかしながら、カラオケ初心者である歌唱者にとっては、発声すべき文字に対して、一般に伸ばす長さも分からないし、３連音符になっていることも分からないし、特に楽譜の小節の頭に休止があるとどこから歌いだすべきか戸惑うことがある。
一方、歌唱者は、一般的に、表示装置に表示された文字を見ながら歌唱するので、発声すべき文字は明確に表示されている方が望ましい。特に、背景の色との関係によっては、発声すべき文字の色を変更するだけでは、明確でない場合もある。また、発声すべき文字の指示が急になされれば、歌唱者は、発声すべき文字を見失う可能性がある。【０００４】  こうした発声すべき文字を見失う可能性を解決する方法として、特許文献１では、歌詞を複数のブロックに分割し、各ブロックが曲の進行にしたがって順次切り替えられて画面表示される歌詞表示装置であって、各ブロックに含まれる複数の文字を第１の形式にて画面に表示させる表示指示部と、表示した複数の文字のうち、現タイミングにて歌唱者が発声すべき文字の形式を第１の形式（変更前の通常の大きさの文字）から別の第２の形式（表示文字を大きくする）へ変更させる変更指示部とを備える。この装置において、変更指示部では、発声すべき文字において、第１の形式から第２の形式への変更を徐々に行うようにすることができるものである。【０００５】  また、歌を唄うための歌詞の表記法に関するものとして、特許文献２には、カラオケ等歌詞だけの場合、この音は短いのか延ばすのか、次の音は上げるのか下げるのか、忘れてしまって唄えないことも多く、そのため、文字の上下位置で音の高低を、文字の間隔で長さを示すように表記し、そうすることで、文字がメロディをも表わすので歌を覚えるときや唄うときに便利であり、なかば忘れた歌もこの表記を見れば楽々唄うことができる、ことが開示されている。【０００６】
【特許文献１】特開２００６−１０６３３４
【特許文献２】特開２００６−１７１４７８
【発明の開示】
【発明が解決しようとする課題】
【０００７】  しかしながら、特許文献１の開示例では、個々の字幕上の文字を歌唱者に指示するタイミングをより明確にするものではあるが、個々の文字に対応する音（音符）の長さについては指示しておらず、メロディに十分習熟していない歌唱者にとっては字幕上の文字の羅列のみでは個々の文字に対応する音をどの程度伸ばすのかは、もっぱらメロディに習熟するしか方法がなかった。特に、発声する字幕上の文字の前に１拍休止符や半拍休止符等がある場合、前記発声文字自体を大きくするだけでは、必ずしもその発声タイミングを明確に指定するものではなかった。【０００８】  また、特許文献２の例では、字幕上の文字を上下にシフトさせることで次に発声する音の高低の区別を示唆してはいるものの、当該音の長さについては必ずしも明確にするものではなかった。
一方、字幕表示用の画面に字幕と共に５線紙楽譜そのものを表示させることも技術的に可能ではあるが、ＣＲＴ、液晶、プロゼクターなどの画面のスペース上、５線紙を用いたものは表示に適していない。また楽譜を正しく理解できない人にとっては、却って画面そのものが煩雑に見える。【０００９】  本発明者は上述した種々の問題点を鋭意検討した結果、カラオケの字幕上に、カラオケ用楽曲の楽譜上に指定されている休止符等の楽譜コードの長さに対応する記号を当該字幕に隣接して表記することで上記の問題点が基本的に解決できることを突き止めた。【００１０】  従って、本発明の目的は、カラオケ用楽曲の楽譜上に指定されている楽譜コードの長さに関連付けた記号を当該字幕に隣接して表記したことを特徴とするカラオケ用の字幕および同字幕を記録した記憶媒体、ならびに、同字幕を表示装置上に表示するためのプログラムを提供することにある。
【課題を解決するための手段】
【００１１】  前記の目的を達成するため、本発明によるカラオケ用の字幕は、
カラオケ用楽曲の楽譜上に指定されている楽譜コードの長さに関連付けた記号を当該字幕に隣接して表記したことを特徴とする。
その場合、前記記号は、前記楽譜コードが休止符のときはその半拍分を一個の小ドットに対応させて表記することができる。
さらに、その場合、前記記号は、前記楽譜コードが休止符のときはその一拍分を一個の大ドットに対応させて表記することができる。
さらに、前記記号は、前記楽譜コードが音符であり且つ、その音符に対応してひらがなまたはカタカナで表記した字幕において、前記各ひらがなまたはカタカナの一文字を半拍分に対応させ当該音符長さが半拍を超える長音のときは前記一文字の直後に半拍横バーを所要数表記して構成することができる
さらにまた、前記記号は、前記楽譜コードが３連音符のときは同３連音符に対応する前記ひらがなまたはカタカナの直下に下線を表記して構成することができる。
さらにその場合、前記記号は、前記楽譜コードが１小節の区切りのときはその対応する字幕位置に縦バーを表記して構成することができる。
また、前記目的を達成するための、本発明によるカラオケ用の字幕を記録した記憶媒体は、カラオケ用楽曲の楽譜上に指定されている楽譜コードの長さに関連付けた記号を当該字幕に隣接して表記したことを特徴とする。
さらにまた、前記目的を達成するための、本発明によるプログラムは、
カラオケ用楽曲の演奏中、カラオケ用楽曲の楽譜上に指定されている楽譜コードの長さに関連付けた記号を当該楽譜に対応する字幕に隣接して表記したカラオケ用の字幕を記録した記憶媒体から適宜読み出し、当該読み出された字幕を適宜の文字ブロックごとに表示装置上に表示させることを特徴とする。
【発明の効果】
【００１２】  本発明によれば、カラオケ用楽曲の楽譜上に指定されている楽譜コードの長さに関連付けた記号を当該字幕に隣接して表記したので、歌唱者に対しカラオケをリズムどおりに正しく歌い易くサポートするという効果を奏する。
【発明を実施するための最良の形態】
【００１３】  以下、本発明の実施の形態に基づく１実施例について図面を参照して詳細に説明する。
図１は、本発明によるカラオケ用の字幕の詳細を対応する楽譜と共に例示する。図１において、参照符号Ｋ１は作詞者が北山修、作曲者が端田宣彦の曲「風」の楽譜と歌詞であってその最初の第１から第４小節までの楽譜部分を、さらに、参照符号Ｋ２は同じ曲の第５小節から第８小節までの楽譜部分を示す。そして、それぞれＫ１、Ｋ２の下方に、対応する部分のカラオケ用の字幕１０、１２を示す。【００１４】  字幕１０の上段１０ａでは、歌詞は楽譜部分Ｋ１の歌詞と同じひらがな表記であり、各小節の区切り部分には「縦方向のバー」記号ａが表記されている。また、第１小節と第３小節の初めにある４分休止符（一拍）に対応して「小さなドット」記号ｂが２個表記されている。この小ドット記号ｂの１つは半拍に相当している。
また、第２小節、第３小節、第４小節には、図示のように、各文字「だ」、「ひ」、「り」「に」、「で」および「て」につづいて、「横バー」記号ｃが表記されている。この横バーｃの１個はそれぞれの文字「だ」、「ひ」、「り」「に」、「で」をさらに半拍伸ばした長音となるよう指定するものである。第４小節では、文字「て」に続く７個の横バーｃが表記されており、これにより「て」の発声は半拍の「て」に続くさらに３拍半の長音となる。なお、第３小節の「で」に続く半拍は右下がりの横バーｃ１であり、同「で」よりも低い音程であることを示す。【００１５】  字幕１０の中段１０ｂでは、歌詞の一部を漢字で表記されており、横バーｃの表記が省略されている。また、字幕１０の下段１０ｃでは、歌詞の一部が漢字で表記されると共に、さらに、横バーｃの表記および小節の区切りである縦バーａも省略され、小さなドット記号ｂのみを表記した字幕を示す。
楽譜Ｋ１に続くＫ２に対応する字幕１２の上段１２ａには、前記上段１０ａと同様に、楽譜Ｋ２上に記載されている各小節の区切り、４分休止符、各音符等に対応してそれぞれ記号ａ、ｂ、ひらがなの文字および記号ｃ、ｃ２が表記されている。ここで、記号ｃ２は右上がりの半拍長音を示す。なお、本発明においては前記音符を含む各小節の区切り、休止符、３連音符等を楽譜コードと定義している。【００１６】  図２は、図１と異なる楽曲の例における楽譜に対応する字幕を説明する図である。図２において、参照符号Ｄ１は作詞者が山口洋子、作曲者が内藤法美の曲である、「誰もいない海」の楽譜と歌詞であって、その最初の第１小節から第５小節までを、さらに、参照符号Ｄ２は同じ曲の第６小節から第９小節までを示す。そして、それぞれＤ１、Ｄ２の下方に、対応する部分のカラオケ用の字幕２０、２２を示す。字幕２０、２２の各上段には図１の場合と同様に、小節の区切り用の縦バー記号ａ、半拍休止用の小ドット記号ｂ、半拍長音用の横バー記号ｃが図示の如く表記されている。【００１７】  前記上段２０ａの第１小節中、大ドットで示される参照符号ｄは、同字幕上での一拍休止符を示しており、対応するＤ１の第１小節中の３拍分の歌詞の付いていない音符「Ｅ」の長さに照合している。また、第２小節および第４小節および第９小節の参照符号ｅは３連音符を示しており、３つの８分音符を一拍で発声することを示す。
前記字幕２０、２２の各中段２０ｂ、２２ｂおよび各下段２０ｃ、２２ｃは図１の中段および下段の表記と同様であるので、その説明を省略する。
前述した、図１および図２に示した字幕の上段、中段、下段は歌唱者の当該楽曲に対する習熟度に応じて例示したものであり、必要度に応じてそれぞれの記号を省略したものである。【００１８】  以上説明した字幕用のデータは、ＣＤ、ＤＶＤ等のカラオケ曲を記録した記憶媒体中に、演奏曲自体や画像データ等と共に記録されており、カラオケ演奏装置に設けられているプログラムによって、これら字幕データが適宜の文字ブロックごとにＣＲＴ、液晶、プロゼクターなどを用いた表示装置の画面上に演奏中、表示されるようになっている。【００１９】  以上本発明の好適な実施例について図面を参照して説明したが、当業者であれば、種々の変形をすることが可能である。例えば、楽曲の演奏中、または演奏の開始に先立って字幕１０、１２、２０、２２の各上段、中段、下段を選択・指定できるようにプログラムを構成すること、またはハード的な選択スイッチを演奏装置やマイクロフォンに設けることができる。【００２０】  また、前記上段、中段、下段の字幕の態様はこれら例示したものに限定されるものではなく、例えば、ひらがなの代わりに、その一部または全部をカタカナで表記することや、ひらがなやカタカナの１つの文字をローマ字で表記することにより、日本語を知らない外国人にも日本の楽曲のカラオケを楽しむことが可能である。
【図面の簡単な説明】
【００２１】
【図１】本発明によるカラオケ用の字幕の詳細を対応する楽譜と共に例示する図である。
【図２】図１と異なる楽曲の例における楽譜に対応する字幕を説明する図である。
【符号の説明】
【００２２】１０      楽譜部分Ｋ１に対応する字幕
１０ａ    上段字幕
１０ｂ    中段字幕
１０ｃ    下段字幕
１２      楽譜部分Ｋ２に対応する字幕
１２ａ    上段字幕
１２ｂ    中段字幕
１２ｃ    下段字幕
２０      楽譜部分Ｄ１に対応する字幕
２０ａ    上段字幕
２０ｂ    中段字幕
２０ｃ    下段字幕
２２      楽譜部分Ｄ２に対応する字幕
２２ａ    上段字幕
２２ｂ    中段字幕
２２ｃ    下段字幕
ａ        縦バー記号
ｂ        小さなドット記号
ｃ        横バー記号
ｄ        大きなドット記号
ｅ        ３連音符記号
【図１】
2009069788.tif 000003
【図２】
2009069788.tif 000004